(57)【要約】【課題】操作部材とカバー部材とを備えた構成とする場合に、熱かしめ工程のような溶融設備を用意することなく低コストで操作部材とカバー部材とを一部品化できるようにしてエアゾール容器へのキャップの組付作業を簡単にする。【解決手段】エアゾール容器用キャップ１はカバー部材１０と操作部材２０とを備えている。操作部材２０は、ステム嵌合筒部２１と吐出ノズル部２２と指載置部２３と被係合部２４とが一体成形されてなるものである。カバー部材１０の下部には容器本体１０１の上部に固定される容器固定用突起部１１が設けられている。カバー部材１０には、操作部材２０の被係合部２４が係合する係合部１２が設けられている。【選択図】図８
2019127291.tif 000002
【特許請求の範囲】
【請求項１】
薬剤及び噴射剤が収容された容器本体と該容器本体の上部に設けられた弁機構及びステムを備えたエアゾール容器の上部に取り付けられるエアゾール容器用キャップにおいて、
上記エアゾール容器用キャップは、上記容器本体の上部を覆うように形成されたカバー部材と、上記ステムを押動操作するための操作部材とを備え、
上記操作部材は、上記ステムの上部が嵌合するステム嵌合筒部と、該ステム嵌合筒部に連通する吐出ノズル部と、操作者の指を載置する指載置部と、被係合部とが一体成形されてなるものであり、
上記カバー部材の下部には、上記容器本体の上部に固定される固定部が設けられ、
上記カバー部材の上記固定部よりも上方には、上記操作部材の上記被係合部が係合する係合部が設けられていることを特徴とするエアゾール容器用キャップ。
【請求項２】
請求項１に記載のエアゾール容器用キャップにおいて、
上記操作部材の上記吐出ノズル部の先端部には、上下方向に延びる先端板部が一体成形され、
上記操作部材の上記ステム嵌合筒部、上記吐出ノズル部及び上記先端板部は、上記カバー部材の内部に配置され、
上記カバー部材には、上記吐出ノズル部の先端部及び上記先端板部を露出させるノズル用開口部が形成されていることを特徴とするエアゾール容器用キャップ。
【請求項３】
請求項１または２に記載のエアゾール容器用キャップにおいて、
上記操作部材の上記吐出ノズル部の先端部には、下方へ延びるとともに可撓性を有する可撓板部が形成され、該可撓板部の下部に上記被係合部が形成され、
上記操作部材の上記吐出ノズル部の基端部には、上記ステム嵌合筒部が形成され、
上記指載置部は、上記ステム嵌合筒部の外周面から延びるように形成されていることを特徴とするエアゾール容器用キャップ。
【請求項４】
請求項３に記載のエアゾール容器用キャップにおいて、
上記カバー部材の下部は、上記容器本体の上部を囲む筒状部とされ、
上記操作部材の上記被係合部は、上記筒状部の内周面に沿うように形成されていることを特徴とするエアゾール容器用キャップ。
【請求項５】
請求項４に記載のエアゾール容器用キャップにおいて、
上記操作部材の上記被係合部は、上記筒状部の内周面に沿う環状に形成されていることを特徴とするエアゾール容器用キャップ。
【請求項６】
請求項４または５に記載のエアゾール容器用キャップにおいて、
上記カバー部材の上記係合部は、上記筒状部の内周面から該筒状部の径方向内方へ突出する突出部で構成されていることを特徴とするエアゾール容器用キャップ。
【請求項７】
請求項６に記載のエアゾール容器用キャップにおいて、
上記カバー部材の上記係合部は、上記操作部材の上記被係合部の下端面に当接するように配置されていることを特徴とするエアゾール容器用キャップ。
【請求項８】
請求項７に記載のエアゾール容器用キャップにおいて、
上記操作部材には、上記カバー部材の上記係合部が上記操作部材の上記被係合部の下端面に当接した状態で上記カバー部材に当接して該操作部材の上方への移動を規制するストッパ部が形成されていることを特徴とするエアゾール容器用キャップ。
【請求項９】
請求項４から８のいずれか１つに記載のエアゾール容器用キャップにおいて、
上記カバー部材の上記筒状部の内面には、上記操作部材の上記被係合部の上部が下方から嵌合する嵌合部が形成され、
上記被係合部の下部は、上記容器本体の上部に上方から当接することを特徴とするエアゾール容器用キャップ。
【請求項１０】
請求項１から９のいずれか１つに記載のエアゾール容器用キャップにおいて、
上記操作部材の上記被係合部は、上方へ突出するように形成され、
上記カバー部材の上記係合部は、上記被係合部が挿入される凹部で構成されていることを特徴とするエアゾール容器用キャップ。
【発明の詳細な説明】
【技術分野】
【０００１】
本発明は、例えば薬剤等を噴出するエアゾール容器に取り付けられるエアゾール容器用キャップに関するものであり、特に、複数の部材からなる構造の技術分野に属する。
【背景技術】
【０００２】
一般に、エアゾール容器は、例えば薬剤と薬剤を噴射させるための噴射剤とが収容された容器本体と、この容器本体の上部に設けられた弁機構及びステムとを備えて構成されている。ステムは容器本体の上方へ突出するように設けられており、弁機構によって上方へ付勢されている。このステムを下方へ押動することにより、弁機構が開状態となって容器本体の内部に収容されている薬剤が噴射剤の圧力によってステムから噴出する。
【０００３】
上記エアゾール容器には、例えば特許文献１に開示されているようにキャップが取り付けられている。特許文献１のキャップは、ステムを押動操作するための操作部材と、容器本体の上部に嵌合して該容器本体の上部を覆うカバー部材とからなる２部品構成となっている。操作部材には、ステムの上部が嵌合するステム嵌合筒部、ステムの上部に連通するノズル、操作者の指を置く指載置部等が一体成形されている。操作部材とカバー部材とは、熱かしめ等の方法によって一体化されている。
【先行技術文献】
【特許文献】
【０００４】
【特許文献１】特表２０１４−５２１５７１号公報
【発明の概要】
【発明が解決しようとする課題】
【０００５】
ところで、特許文献１のキャップのように、容器本体の上部を覆うカバー部材と、ステムを操作する操作部材とを別部材として組み合わせる構造にすることで、カバー部材及び操作部材のそれぞれの成形自由度を向上させることができる。その結果、キャップのデザインの自由度が向上し、複雑なデザインのキャップを容易に成形することが可能になるので、キャップを一体成形にせず、あえて複数の部材からなるものとする場合がある。
【０００６】
しかしながら、キャップを複数の部材からなるものにすると、エアゾール容器への組付作業が煩雑になるという問題がある。特許文献１では、操作部材とカバー部材とを熱かしめ等の方法によって一体化することで一部品化しているが、この場合、熱かしめ工程が必要になるとともに、樹脂を部分的に溶融する溶融設備も必要になり、結果的にコストアップに繋がる懸念がある。
【０００７】
本発明は、かかる点に鑑みてなされたものであり、その目的とするところは、操作部材とカバー部材とを備えた構成とする場合に、熱かしめ工程のような溶融設備を用意することなく低コストで操作部材とカバー部材とを一部品化できるようにしてエアゾール容器へのキャップの組付作業を簡単にすることにある。
【課題を解決するための手段】
【０００８】
上記目的を達成するために、本発明では、エアゾール容器への組付前に操作部材とカバー部材とを係合させることによって一部品化可能にした。
【０００９】
第１の発明は、薬剤及び噴射剤が収容された容器本体と該容器本体の上部に設けられた弁機構及びステムを備えたエアゾール容器の上部に取り付けられるエアゾール容器用キャップにおいて、上記エアゾール容器用キャップは、上記容器本体の上部を覆うように形成されたカバー部材と、上記ステムを押動操作するための操作部材とを備え、上記操作部材は、上記ステムの上部が嵌合するステム嵌合筒部と、該ステム嵌合筒部に連通する吐出ノズル部と、操作者の指を載置する指載置部と、被係合部とが一体成形されてなるものであり、上記カバー部材の下部には、上記容器本体の上部に固定される固定部が設けられ、上記カバー部材の上記固定部よりも上方には、上記操作部材の上記被係合部が係合する係合部が設けられていることを特徴とする。
【００１０】
この構成によれば、容器本体の上部を覆うカバー部材と、ステムを押動操作するための操作部材とが別部材とされているので、各々の成形自由度が高まり、キャップのデザインの自由度が向上して複雑なデザインのキャップを容易に成形することが可能になる。
【００１１】
そして、操作部材を容器本体に取り付ける前に、操作部材の被係合部をカバー部材の係合部に係合させることで、操作部材とカバー部材とを一部品化することが可能になる。操作部材の被係合部とカバー部材の係合部とは係合による一部品化であることから、従来例のような樹脂の部分的な溶融設備は不要になる。
【００１２】
操作部材とカバー部材とを一部品化した後、カバー部材の固定部を容器本体の上部に固定することで、操作部材及びカバー部材がエアゾール容器の上部に取り付けられた状態になる。この状態で、操作部材のステム嵌合筒部にステムの上部が嵌合する。このステム嵌合筒部と指載置部とは一体成形されているので、指載置部に載置した指によってステムを押動操作することが可能になる。ステムが押動操作されると、ステムから吐出した薬剤がステム嵌合筒部及び吐出ノズル部を流通して外部に噴射される。
【００１３】
第２の発明は、上記操作部材の上記吐出ノズル部の先端部には、上下方向に延びる先端板部が一体成形され、上記操作部材の上記ステム嵌合筒部、上記吐出ノズル部及び上記先端板部は、上記カバー部材の内部に配置され、上記カバー部材には、上記吐出ノズル部の先端部及び上記先端板部を露出させるノズル用開口部が形成されていることを特徴とする。
【００１４】
この構成によれば、操作部材の吐出ノズル部の先端部及び先端板部がカバー部材のノズル用開口部から露出することになるので、キャップの吐出部分近傍が立体的なデザインになる。
【００１５】
第３の発明は、上記操作部材の上記吐出ノズル部の先端部には、下方へ延びるとともに可撓性を有する可撓板部が形成され、該可撓板部の下部に上記被係合部が形成され、上記操作部材の上記吐出ノズル部の基端部には、上記ステム嵌合筒部が形成され、上記指載置部は、上記ステム嵌合筒部の外周面から延びるように形成されていることを特徴とする。
【００１６】
この構成によれば、指載置部に載置した指によって該指載置部を押動させると、ステム嵌合筒部及び吐出ノズル部が下向きの力を受け、この下向きの力によって可撓板部が撓み変形してステム嵌合筒部及び吐出ノズル部が下方へ変位してステムが押動操作される。従って、被係合部をカバー部材に係合させた状態のまま、ステムの押動操作が可能になる。
【００１７】
第４の発明は、上記カバー部材の下部は、上記容器本体の上部を囲む筒状部とされ、上記操作部材の上記被係合部は、上記筒状部の内周面に沿うように形成されていることを特徴とする。
【００１８】
この構成によれば、操作部材の被係合部がカバー部材の筒状部の内側に嵌まることになるので、カバー部材の係合部に係合した状態で安定する。
【００１９】
第５の発明は、上記操作部材の上記被係合部は、上記筒状部の内周面に沿う環状に形成されていることを特徴とする。
【００２０】
この構成によれば、操作部材の被係合部がより一層安定する。
【００２１】
第６の発明は、上記カバー部材の上記係合部は、上記筒状部の内周面から該筒状部の径方向内方へ突出する突出部で構成されていることを特徴とする。
【００２２】
この構成によれば、突出部が係合部になるので、被係合部を係合部に係合させる操作が容易になるととともに、確実に係合させることが可能になる。
【００２３】
第７の発明は、上記カバー部材の上記係合部は、上記操作部材の上記被係合部の下端面に当接するように配置されていることを特徴とする。
【００２４】
この構成によれば、カバー部材の係合部が操作部材の被係合部の下端面に当接した状態で操作部材が下方から支持され、操作部材のカバー部材からの離脱が抑制される。
【００２５】
第８の発明は、上記操作部材には、上記カバー部材の上記係合部が上記操作部材の上記被係合部の下端面に当接した状態で上記カバー部材に当接して該操作部材の上方への移動を規制するストッパ部が形成されていることを特徴とする。
【００２６】
この構成によれば、カバー部材の係合部が操作部材の被係合部の下端面に当接すると、操作部材のストッパ部がカバー部材に当接して操作部材の上方への移動が規制される。
【００２７】
第９の発明は、上記カバー部材の上記筒状部の内面には、上記操作部材の上記被係合部の上部が下方から嵌合する嵌合部が形成され、上記被係合部の下部は、上記容器本体の上部に上方から当接することを特徴とする。
【００２８】
この構成によれば、カバー部材の固定部を容器本体に固定した状態で、操作部材の被係合部の上部がカバー部材の嵌合部に嵌合し、被係合部の下部が容器本体の上部に当接する。これにより、被係合部がカバー部材と容器本体とで上下方向に挟持されるので、操作部材のがたつきが抑制される。
【００２９】
第１０の発明は、上記操作部材の上記被係合部は、上方へ突出するように形成され、上記カバー部材の上記係合部は、上記被係合部が挿入される凹部で構成されていることを特徴とする。
【００３０】
この構成によれば、操作部材の被係合部をカバー部材の凹部に挿入することで簡単に係合させることができる。
【発明の効果】
【００３１】
第１の発明によれば、エアゾール容器への組付前に操作部材とカバー部材とを係合させることによって一部品化することができるので、低コスト化を図りながらエアゾール容器へのキャップの組付作業を簡単にすることができる。
【００３２】
第２の発明によれば、操作部材の吐出ノズル部の先端部及び先端板部がカバー部材のノズル用開口部から外部に臨むようになるので、キャップの吐出部分近傍を立体的なデザインにすることができる。
【００３３】
第３の発明によれば、操作部材の吐出ノズル部の先端部に可撓板部を介して被係合部を形成し、吐出ノズル部の基端部にステム嵌合筒部を形成し、指載置部をステム嵌合筒部の外周面から延びるように形成したので、被係合部をカバー部材に係合させた状態のまま、ステムを押動操作することができる。
【００３４】
第４の発明によれば、操作部材の被係合部がカバー部材の筒状部の内側に嵌まることになるので、操作部材を安定させることができる。
【００３５】
第５の発明によれば、操作部材の被係合部を環状に形成することで操作部材をより一層安定させることができる。
【００３６】
第６の発明によれば、カバー部材の係合部を突出部で構成したので、被係合部を係合部に容易に係合させることができ、しかも、確実に係合させることができる。
【００３７】
第７の発明によれば、操作部材を下方から支持することができるので、操作部材のカバー部材からの離脱を抑制することができる。
【００３８】
第８の発明によれば、カバー部材の係合部が操作部材の被係合部の下端面に当接した状態で操作部材をカバー部材に対して位置決めすることができる。
【００３９】
第９の発明によれば、カバー部材の固定部を容器本体に固定した状態で、操作部材の被係合部をカバー部材と容器本体とで上下方向に挟持することができるので、操作部材のがたつきを抑制できる。また、カバー部材と操作部材との係合力が弱くて済むので、カバー部材と操作部材との組立作業を容易にすることができる。
【００４０】
第１０の発明によれば、操作部材の被係合部をカバー部材の凹部に挿入することで簡単に係合させることができる。
【図面の簡単な説明】
【００４１】
【図１】本発明の実施形態１にかかるエアゾール製品を前方向から見た斜視図である。
【図２】エアゾール製品を後方向から見た斜視図である。
【図３】エアゾール製品の正面図である。
【図４】エアゾール製品の右側面図である。
【図５】エアゾール製品の背面図である。
【図６】図３のVI−VI線断面図である。
【図７】図４のVII−VII線断面図である。
【図８】図３のVI−VI線に相当するエアゾール容器用キャップの断面図である。
【図９】図４のVII−VII線に相当するエアゾール容器用キャップの断面図である。
【図１０】本発明の実施形態２にかかるエアゾール製品の平面図である。
【図１１】図１０のXI−XI線断面図である。
【図１２】図１０のXII−XII線断面図である。
【図１３】図１０のXIII−XIII線断面図である。
【図１４】図１０のXI−XI線に相当するエアゾール容器用キャップの断面図である。
【図１５】図１０のXII−XII線に相当するエアゾール容器用キャップの断面図である。
【図１６】図１０のXIII−XIII線に相当するエアゾール容器用キャップの断面図である。
【発明を実施するための形態】
【００４２】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００４３】
（実施形態１）
図１は、本発明の実施形態１に係るエアゾール容器用キャップ１が取り付けられたエアゾール容器１００を前方から見た斜視図であり、図２は、エアゾール容器１００を後方から見た斜視図である。エアゾール容器用キャップ１とエアゾール容器１００とでエアゾール製品Ａが構成されている。
【００４４】
尚、この実施形態の説明では、「前側」とは、使用者がエアゾール容器１００を使用する状態で持ったときに薬剤を噴射する方向をいい、「後側」とは、同状態としたときに薬剤の噴射方向と反対側をいい、「右側」とは、同状態としたときに使用者から見て右となる側をいい、「左側」とは、同状態としたときに使用者から見て左となる側をいうものとする。これは説明の便宜を図るために定義するだけであり、どの方向が前や後であってもよい。
【００４５】
（エアゾール容器１００の構成）
エアゾール容器用キャップ１の説明の前に、エアゾール容器１００について説明すると、図６及び図７に示すように、エアゾール容器１００は、殺虫剤（薬剤）及び殺虫剤を噴出させるための噴射剤が収容された縦長の容器本体１０１と、容器本体１０１の上部に設けられた弁機構１０１ａ及びステム１０２とを備えた周知の構造のものである。容器本体１０１は、円筒状に形成された耐圧容器である。また、ステム１０２は、容器本体１０１の上壁部の略中心部に設けられている。ステム１０２の下端部は、弁機構１０１ａを介して容器本体１０１の内部に連通可能となっている。ステム１０２は、弁機構１０１ａによって容器本体１０１の上壁部から上方へ突出するように上方へ付勢されており、下方（容器本体１０１の内方）へ押動可能となっている。
【００４６】
ステム１０２を下方へ押動した状態で弁機構１０１ａが開放されてステム１０２と容器本体１０１の内部とが連通状態になり、殺虫剤が噴射剤の圧力によって噴出される。ステム１０２に対する下方への外力を除くと、ステム１０２が弁機構１０１ａの付勢力によって元の位置に戻って弁機構１０１ａが閉状態になる。容器本体１０１に収容する薬剤は、殺虫剤に限られるものではなく、例えば、消臭剤、除菌剤、芳香剤、整髪料等が挙げられる。また、噴射剤は、例えばＬＰガスやジメチルエーテル等を挙げることができ、特に限定されるものではない。
【００４７】
（エアゾール容器用キャップ１の構成）
図１等に示すように、エアゾール容器用キャップ１は、エアゾール容器１００の上部に取り付けられる。図６及び図７に示すように、エアゾール容器用キャップ１は、エアゾール容器１００の容器本体１０１の上部を覆うように形成されたカバー部材１０と、エアゾール容器１００のステム１０２を押動操作するための操作部材２０とを備えている。カバー部材１０及び操作部材２０は、共に樹脂材からなるものであり、例えば射出成形品とすることができる。カバー部材１０と操作部材２０とは別々に成形された後、後述するように組み合わされてエアゾール容器用キャップ１となる。このように、カバー部材１０と操作部材２０と別々に成形することにより、カバー部材１０及び操作部材２０の各々の成形自由度を向上させることができる。その結果、エアゾール容器用キャップ１のデザインの自由度が向上し、複雑なデザインのエアゾール容器用キャップ１を容易に成形することが可能になるので、この実施形態ではエアゾール容器用キャップ１をあえて一体成形せず、複数の部材からなるものとしている。尚、エアゾール容器用キャップ１を構成する部材の数は２つに限られるものではなく、３つ以上であってもよい。
【００４８】
（カバー部材１０の構成）
図１〜図５等に示すように、カバー部材１０は、エアゾール容器１００の容器本体１０１の上部に固定された状態で全体として上方へ膨出する形状とされている。平面視において、カバー部材１０の中心部は、エアゾール容器用キャップ１の中心部と略一致しており、ステム１０２の軸線上に位置することになる。
【００４９】
カバー部材１０の下部は、容器本体１０１の上部を囲むように形成された筒状部１０ａとされている。筒状部１０ａは容器本体１０１の形状に対応した略円筒状であり、そのため、カバー部材１０の下部の前後方向の寸法と左右方向の寸法とは略等しくなっている。エアゾール容器用キャップ１を容器本体１０１に取り付ける際には、容器本体１０１の上部をカバー部材１０の筒状部１０ａの下方から該筒状部１０ａの内部に挿入する。
【００５０】
図６や図７に示すように、カバー部材１０の筒状部１０ａよりも上側部分は、筒状部１０ａから上方へ向けてステム１０２の上端部よりも上まで延び、容器本体１０１の上部を覆うように形成されている。図４及び図６に示すように、カバー部材１０の前壁部は、上側へ行くほど後に位置するように傾斜している。また、カバー部材１０の後壁部は、上側へ行くほど前に位置するように湾曲している。このため、カバー部材１０の前後方向の寸法は、上側へ行くほど短くなる。
【００５１】
また、図３及び図５に示すように、カバー部材１０の左側壁部は、上側へ行くほど右に位置するように湾曲している。また、カバー部材１０の右側壁部は、上側へ行くほど左に位置するように湾曲している。このため、カバー部材１０の左右方向の寸法も、上側へ行くほど短くなる。
【００５２】
図１や図３に示すように、カバー部材１０の前壁部にはノズル用開口部１０ｂが該前壁部を貫通するように形成されている。ノズル用開口部１０ｂは、後述する操作部材２０の吐出ノズル部２２の先端部及び先端板部２５を露出させるための開口部である。ノズル用開口部１０ｂは、図３に示す正面視で略十字形状となるように、カバー部材１０の上方及び下方へ向けてそれぞれ延びる部分と、カバー部材１０の左側部及び右側部へ向けてそれぞれ延びる部分とで構成されている。
【００５３】
図１に示すように、カバー部材１０の左側壁部には左側開口部１０ｃが該左側壁部を貫通するように形成されている。また、図２に示すように、カバー部材１０の右側壁部には右側開口部１０ｄが該右側壁部を貫通するように形成されている。左側開口部１０ｃ及び右側開口部１０ｄは、カバー部材１０の前部近傍から後部近傍まで延びる細長い形状とされており、後側へ行くほど下に位置するように側面視で傾斜している。
【００５４】
図２や図６に示すように、カバー部材１０には、操作用開口部１０ｅが該カバー部材１０の上壁部から後壁部にかけて形成されている。操作用開口部１０ｅは、後述する操作部材２０の指載置部２３を露出させるための開口部であり、カバー部材１０の上壁部及び後壁部を貫通している。操作用開口部１０ｅの開口幅（左右方向の寸法）は、例えば人差し指の幅と同程度または若干広めに設定されている。操作用開口部１０ｅは、カバー部材１０の左右方向中央部に位置しており、前後方向に長い形状とされている。図６等に示すように、操作用開口部１０ｅの前縁部は、カバー部材１０の前後方向中央部近傍、即ちエアゾール容器用キャップ１の前後方向中央部近傍に位置している。操作用開口部１０ｅの後縁部は、カバー部材１０の後端部近傍、即ちエアゾール容器用キャップ１の後端部近傍に位置しており、該操作用開口部１０ｅの前縁部よりも下に位置している。従って、操作用開口部１０ｅは、後側へ行くほど下に位置するように、カバー部材１０の後側に開口することになるので、使用者がエアゾール容器１００の容器本体１０１を握った状態で例えば人差し指を操作用開口部１０ｅの内部に容易に配置することが可能になる。
【００５５】
図８及び図９に示すように、カバー部材１０の筒状部１０ａの内周面の下端部には、エアゾール容器１００の容器本体１０１の上部に固定される固定部としての複数の容器固定用突起部１１が設けられている。容器固定用突起部１１は、筒状部１０ａの径方向内方へ向けて突出する突出部であり、筒状部１０ａの周方向に互いに間隔をあけて配置されている。各容器固定用突起部１１は、筒状部１０ａの周方向に長い形状とされている。
【００５６】
図６及び図７に示すように、容器固定用突起部１１は、容器本体１０１の上部の外周面に形成された溝に嵌入するように形成されている。容器固定用突起部１１が容器本体１０１の溝に嵌入した状態で該容器本体１０１に固定される。容器固定用突起部１１を容器本体１０１の溝に嵌入させる際には、容器本体１０１の上部をカバー部材１０の筒状部１０ａの下方から該筒状部１０ａの内部に挿入し、強く押し込む。これにより、容器固定用突起部１１やその周囲が弾性変形し、容器固定用突起部１１が容器本体１０１の溝に嵌入する。容器固定用突起部１１が容器本体１０１の溝に嵌入すると、通常の使用時には離脱することがないように強固に固定される。
【００５７】
図８及び図９に示すように、カバー部材１０の内周面には、容器固定用突起部１１よりも上方に、後述する操作部材２０の被係合部２４が係合する複数の係合凸部（係合部）１２が設けられている。係合凸部１２は、筒状部１０ａの径方向内方へ向けて突出しており、筒状部１０ａの周方向に互いに間隔をあけて配置されている。各係合凸部１２は、筒状部１０ａの周方向に長い形状とされている。係合凸部１２と容器固定用突起部１１とは上下方向に所定の隙間をあけて配置されている。
【００５８】
係合凸部１２の長さ（筒状部１０ａの周方向の寸法）は、容器固定用突起部１１の同方向の長さよりも短く設定されている。また、係合凸部１２の高さ（筒状部１０ａの内周面からの突出高さ）は、容器固定用突起部１１の高さよりも低く設定されている。係合凸部１２の個数は、容器固定用突起部１１の個数よりも少なくなっている。係合凸部１２は、筒状部１０ａの左側と右側とにそれぞれ設けられている。係合凸部１２の個数は特に限定されるものではないが、筒状部１０ａの左側と右側とに少なくとも１つずつ設けるのが好ましい。
【００５９】
図９に示すように、カバー部材１０の筒状部１０ａの内面には、後述する操作部材２０の被係合部２４の上部が下方から嵌合する嵌合部１３が形成されている。この嵌合部１３は、筒状部１０ａの左側と右側とにそれぞれ形成されており、操作部材２０の被係合部２４の上部が嵌まる形状の段部や凹部等で構成することができる。
【００６０】
図８及び図９に示すように、カバー部材１０の上壁部には、操作用開口部１０ｅの前縁部から下方へ突出する突出板部１４が形成されている。突出板部１４は、操作用開口部１０ｅの前縁部に沿って左右方向に延びている。この突出板部１４には操作部材２０の一部が下方から当接するようになっている。
【００６１】
（操作部材２０の構成）
図８及び図９に示すように、操作部材２０は、その全体がカバー部材１０の内部に収容されるように設けられている。操作部材２０は、エアゾール容器１００のステム１０２の上部が嵌合するステム嵌合筒部２１と、該ステム嵌合筒部２１に連通する吐出ノズル部２２と、操作者の指を載置する指載置部２３と、被係合部２４と、先端板部２５と、可撓板部２６とが一体成形されてなるものである。少なくともステム嵌合筒部２１、吐出ノズル部２２及び先端板部２５は、カバー部材１０の内部に配置され、この実施形態では、指載置部２３、被係合部２４及び可撓板部２６もカバー部材１０の内部に配置される。
【００６２】
ステム嵌合筒部２１は、平面視でエアゾール容器用キャップ１の中央部に位置しており、ステム１０２と同心上で上下方向に延びている。ステム嵌合筒部２１の下端部は開口しており、図６及び図７に示すようにステム１０２の上端部を差し込んで嵌合させることができるようになっている。ステム１０２の上端部がステム嵌合筒部２１に嵌合した状態でステム嵌合筒部２１を下方へ押動すると、ステム１０２を下方へ押動させることができるように、両者の嵌合力が設定されている。また、ステム１０２の上端部がステム嵌合筒部２１に嵌合した状態では、ステム１０２の外周面とステム嵌合筒部２１の内周面との間の気密性が確保されるようになっている。ステム嵌合筒部２１の上端部は閉塞されている。
【００６３】
吐出ノズル部２２は、ステム嵌合筒部２１の上下方向中間部から前方へ向けて延びる筒状部で構成されている。つまり、吐出ノズル部２２の基端部（後端部）には、ステム嵌合筒部２１が形成されることになる。図８に示すように、吐出ノズル部２２の上流端（後端部）はステム嵌合筒部２１の上下方向中間部に連通している。吐出ノズル部２２内の流路径は、ステム嵌合筒部２１内の流路径よりも小さく設定されている。吐出ノズル部２２の下流端（前端部、先端部）は、カバー部材１０の前壁部から該カバー部材１０の前方へは突出しないように、該カバー部材１０の内部に位置している。吐出ノズル部２２の下流端はエアゾール容器用キャップ１の前方へ向けて開口しており、薬剤及び噴射剤が噴射される噴射口２２ａとされている。
【００６４】
吐出ノズル部２２の先端部には、上下方向に延びる先端板部２５が一体成形されている。先端板部２５は、吐出ノズル部２２の先端部から上方へ延びる部分と、左方向へ延びる部分と、右方向へ延びる部分とを有している。この先端板部２５は、カバー部材１０のノズル用開口部１０ｂを該カバー部材１０の内側から覆うように配置されている。先端板部２５における上方へ延びる部分がノズル用開口部１０ｂの上方へ延びる部分を覆い、また、先端板部２５における左方向へ延びる部分がノズル用開口部１０ｂの左方向へ延びる部分を覆い、また、先端板部２５における右方向へ延びる部分がノズル用開口部１０ｂの右方向へ延びる部分を覆っている。
【００６５】
吐出ノズル部２２の先端部及び先端板部２５は、カバー部材１０のノズル用開口部１０ｂから露出するが、カバー部材１０の前壁部からは突出しないように配置されている。これにより、エアゾール容器用キャップ１の前面には、ノズル用開口部１０ｂの内部に段差ができることになり、立体的な外観とすることができる。
【００６６】
指載置部２３は、ステム嵌合筒部２１の外周面から後方へ向けて延びるように形成されており、カバー部材１０の操作用開口部１０ｅの内部に配置されている。指載置部２３の前端部は、ステム嵌合筒部２１の外周面の後側部分に連なっている。指載置部２３の後端部は、カバー部材１０の後端部近傍まで延びており、カバー部材１０の操作用開口部１０ｅの後端部に達している。
【００６７】
吐出ノズル部２２の先端部には、下方へ延びるとともに可撓性を有する可撓板部２６が形成されている。可撓板部２６の肉厚は、指載置部２３の肉厚よりも薄く設定されており、可撓板部２６は指載置部２３よりも小さな力で弾性変形するようになっている。可撓板部２６の下部に被係合部２４が形成されている。従って、可撓板部２６は、吐出ノズル部２２と被係合部２４との間に介在することになる。この可撓板部２６を吐出ノズル部２２と被係合部２４との間に介在させることにより、例えば被係合部２４を固定した状態で吐出ノズル部２２を揺動させることが可能になる。
【００６８】
被係合部２４は、カバー部材１０の筒状部１０ａの内周面に沿うように形成されている。具体的には、被係合部２４は、筒状部１０ａの内周面に沿う環状をなしており、この実施形態では、筒状部１０ａが円筒状であることから、被係合部２４は円環状とされている。被係合部２４の外周面と、カバー部材１０の筒状部１０ａの内周面との間には僅かな隙間を形成することができる。
【００６９】
カバー部材１０の係合凸部１２は、操作部材２０の被係合部２４の下端面に当接するように配置されている。すなわち、操作部材２０の被係合部２４の下端面がカバー部材１０の係合凸部１２に当接することにより、被係合部２４が係合凸部１２に係合した状態になり、被係合部２４がカバー部材１０に対して下方へ移動するのが阻止される。被係合部２４を係合凸部１２に係合させる際には、被係合部２４を筒状部１０ａの下方から該筒状部１０ａに挿入して押し込むことにより、被係合部２４や係合凸部１２を弾性変形させる。被係合部２４や係合凸部１２の形状が復元することで、被係合部２４が係合凸部１２に係合する。係合凸部１２が複数個あるので、被係合部２４の複数箇所に係合することになり、被係合部２４が安定する。
【００７０】
また、図７に示すように、操作部材２０の被係合部２４の下部は、容器本体１０１の上部に上方から当接するようになっている。被係合部２４の下部が容器本体１０１の上部に当接した状態で、被係合部２４の上部はカバー部材１０の嵌合部１３に嵌まり、これにより、被係合部２４は容器本体１０１の上部とカバー部材１０の嵌合部１３とによって上下方向に挟持されることになる。
【００７１】
ステム嵌合筒部２１の上端部には、カバー部材１０の突出板部１４の直下方に位置するようにストッパ部２１ａが形成されている。ストッパ部２１ａは、カバー部材１０の係合凸部１２が操作部材２０の被係合部２４の下端面に当接した状態でカバー部材１０の突出板部１４の下端面に当接して該操作部材２０の上方への移動を規制するための部分である。指載置部２３に対して操作力が作用していないときには、ストッパ部２１ａが突出板部１４の下端面に当接するように、各部の形状及び寸法が設定されている。このとき、ステム１０２は押動されておらず、弁機構１０１ａが閉状態になる。
【００７２】
（殺虫剤の噴射）
次に、殺虫剤を噴射する場合について説明する。まず、使用者はエアゾール容器１００の容器本体１０１を握り、例えば人差し指を操作用開口部１０ｅの内部に配置して操作部材２０の指載置部２３に載置する。そして、指載置部２３に対して下向きの力を作用させると、ステム嵌合筒部２１及び吐出ノズル部２２を介して可撓板部２６に力が伝わり、この可撓板部２６が撓むことによって指載置部２３及びステム嵌合筒部２１の下方への傾動が許容される。これにより、ステム嵌合筒部２１がステム１０２を下方へ押動して弁機構１０１ａが開放され、ステム１０２と容器本体１０１の内部とが連通状態になり、殺虫剤が噴射剤の圧力によって噴出される。殺虫剤及び噴射剤は、ステム嵌合筒部２１及び吐出ノズル部２２の内部を流通して噴射口２２ａから噴射される。
【００７３】
（エアゾール容器用キャップ１の取付要領）
次に、エアゾール容器用キャップ１をエアゾール容器１００に取り付ける要領について説明する。エアゾール容器用キャップ１をエアゾール容器１００に取り付ける前に、エアゾール容器用キャップ１を構成しているカバー部材１０と操作部材２０とを一体化する。このとき、操作部材２０をカバー部材１０の筒状部１０ａの下方から該カバー部材１０の内部に挿入していく。すると、操作部材２０の被係合部２４の上端部が、カバー部材１０の係合凸部１２に対して下方から当接することになるが、操作部材２０を挿入方向に押し込むことで、被係合部２４や係合凸部１２が弾性変形して被係合部２４が係合凸部１２を乗り越え、その後、被係合部２４や係合凸部１２の形状が復元することで、被係合部２４が係合凸部１２に係合する（図８及び図９に示す）。これにより、操作部材２０がカバー部材１０の内部で保持されてカバー部材１０と操作部材２０とが一体化する。
【００７４】
その後、エアゾール容器用キャップ１をエアゾール容器１００に取り付ける。すなわち、容器本体１０１の上部をカバー部材１０の筒状部１０ａの下方から該筒状部１０ａの内部に挿入し、強く押し込む。すると、容器固定用突起部１１及びその周囲が弾性変形して容器固定用突起部１１が容器本体１０１の溝に嵌入し、エアゾール容器用キャップ１がエアゾール容器１００に取り付けられる（図６及び図７に示す）。この状態では、操作部材２０の被係合部２４が容器本体１０１の上部とカバー部材１０の嵌合部１３とによって上下方向に挟持されるので、操作部材２０が安定する。また、ストッパ部２１ａが突出板部１４の下端面に当接しているので、操作部材２０がぐらつくこともない。
【００７５】
さらに、操作部材２０の被係合部２４を、容器本体１０１の上部とカバー部材１０の嵌合部１３とによって上下方向に挟持するようにしているので、操作部材２０の被係合部２４と、カバー部材１０の係合凸部１２との係合は、それほど強固でなくてもよく、例えば、仮止めしておく程度の係合力で済む。これにより、被係合部２４と係合凸部１２とを係合させる際に加えなければならない力が小さくて済むので、キャップ１の組立作業が容易になる。また係合力が小さくて済むので、係合凸部１２を小さくすることができる。
【００７６】
（実施形態の作用効果）
以上説明したように、この実施形態に係るエアゾール容器用キャップ１によれば、エアゾール容器１００の容器本体１０１の上部を覆うカバー部材１０と、ステム１０２を押動操作するための操作部材２０とが別部材とされているので、各々の成形自由度が高まり、エアゾール容器用キャップ１のデザインの自由度が向上して複雑なデザインのエアゾール容器用キャップ１を容易に成形することが可能になる。
【００７７】
そして、操作部材２０を容器本体１０１に取り付ける前に、操作部材２０の被係合部２４をカバー部材１０の係合凸部１２に係合させることで、操作部材２０とカバー部材１０とを一部品化することが可能になる。操作部材２０の被係合部２４とカバー部材１０の係合凸部１２との係合による一部品化であることから、従来例のような溶融設備は不要になり、低コスト化を図ることができる。
【００７８】
操作部材２０とカバー部材１０とを一部品化した後、カバー部材１０の容器固定用突起部１１を容器本体１０１の上部に固定することで、取付途中に操作部材２０とカバー部材１０とが分離することはなく、操作部材２０及びカバー部材１０をエアゾール容器１００の上部に簡単に取り付けることができる。
【００７９】
（実施形態２）
図１０は、本発明の実施形態２にかかるエアゾール容器用キャップ１が取り付けられたエアゾール容器１００の平面図である。この実施形態２では、実施形態１のものに対し、カバー部材１０と操作部材２０とを一体化する構造が異なるだけであり、他の部分は実施形態１と同じであることから、以下、実施形態１と同じ部分には同じ符号を付して説明を省略し、異なる部分について詳細に説明する。
【００８０】
図１４〜図１６に示すように、この実施形態２では、操作部材２０の可撓板部２６の下部に、基板部２７が一体成形されている。基板部２７は、上下方向に延びるとともに、カバー部材１０の筒状部１０ａの内周面に沿って延びている。図１６に示すように、基板部２７の周方向の一部には、被係合部２７ａが上方へ突出するように形成されている。一方、カバー部材１０の内面には、被係合部２７ａの形成位置に対応する部分に凹部（係合部）１７が形成されている。凹部１７は下方に開放されており、この凹部１７に被係合部２７ａが下方から挿入されると、凹部１７の内面に被係合部２７ａが接触して係合するようになっている。このときの係合力は凹部１７の内面と被係合部２７ａの外面との間に働く摩擦力によって得ることができる他、凹部１７の内面及び被係合部２７ａの外面に凹凸形状を設けて両者を係合させることによって得ることもできる。
【００８１】
この実施形態２の場合も、操作部材２０とカバー部材１０とを備えた構成とする場合に、熱かしめ工程のような溶融設備を用意することなく低コストで操作部材２０とカバー部材１０とを一部品化することができ、エアゾール容器１００へのエアゾール容器用キャップ１の組付作業を簡単にすることができる。
【００８２】
（その他の実施形態）
上述の実施形態はあらゆる点で単なる例示に過ぎず、限定的に解釈してはならない。さらに、特許請求の範囲の均等範囲に属する変形や変更は、全て本発明の範囲内のものである。
【００８３】
例えば、実施形態１のカバー部材１０及び操作部材２０の係合構造と、実施形態２のカバー部材１０及び操作部材２０の係合構造とを兼ね備えたエアゾール容器用キャップ１とすることもできる。
【産業上の利用可能性】
【００８４】
以上説明したように、本発明に係るエアゾール容器用キャップは、例えば薬剤を噴射するエアゾール容器に取り付けて使用することができる。
【符号の説明】
【００８５】
１            エアゾール容器用キャップ
１０          カバー部材
１０ｂ        ノズル用開口部
１１          容器固定用突起部（固定部）
１２          係合凸部（係合部）
１３          嵌合部
１７          凹部（係合部）
２０          操作部材
２１          ステム嵌合部
２１ａ        ストッパ部
２２          吐出ノズル部
２３          指載置部
２４          被係合部
２５          先端板部
２６          可撓板部
２７ａ        被係合部
１００        エアゾール容器
１０１        容器本体
１０１ａ      弁機構
１０２        ステム
【図１】
2019127291.tif 000003
【図２】
2019127291.tif 000004
【図３】
2019127291.tif 000005
【図４】
2019127291.tif 000006
【図５】
2019127291.tif 000007
【図６】
2019127291.tif 000008
【図７】
2019127291.tif 000009
【図８】
2019127291.tif 000010
【図９】
2019127291.tif 000011
【図１０】
2019127291.tif 000012
【図１１】
2019127291.tif 000013
【図１２】
2019127291.tif 000014
【図１３】
2019127291.tif 000015
【図１４】
2019127291.tif 000016
【図１５】
2019127291.tif 000017
【図１６】
2019127291.tif 000018